(57)【特許請求の範囲】
【請求項１】
記録媒体から信号を読み出して処理すると共に処理した信号を外部に出力する再生信号処理手段と、上記再生信号処理手段で記録媒体から読み出した信号からインデックス情報を検出するインデックス情報検出手段と、上記インデックス情報検出手段の検出信号に基づいて制御命令を外部に出力する制御命令出力手段とを有する第１の電子機器と、
外部から供給される信号を処理する入力信号処理手段と、外部から供給される制御命令に応じて上記入力信号処理手段の処理動作を制御する動作制御手段とを有する第２の電子機器とを接続して使用する電子機器装置において、
上記第１の電子機器のインデックス情報検出手段で画像のインデックス情報が検出されて命令出力手段から上記第２の電子機器の動作制御手段に制御命令が供給されたときには、この動作制御手段によって上記第１の電子機器の再生信号処理手段から出力される信号を上記第２の電子機器の入力信号処理手段で上記インデックス情報が検出される毎に検出された時点から所定時間の間、録画されるように処理することを特徴とする電子機器装置。
【請求項２】
上記第１の電子機器は再生用ビデオテープレコーダであり、上記第２の電子機器は録画用ビデオテープレコーダであることを特徴とする請求項１記載の電子機器装置。
【請求項３】
上記第１の電子機器は再生用ビデオテープレコーダであり、上記第２の電子機器はビデオプリンタであることを特徴とする請求項１記載の電子機器装置。
【発明の詳細な説明】
【０００１】
【産業上の利用分野】
この発明は、例えばビデオテープレコーダやビデオプリンタ等に適用して好適な電子機器装置に関する。
【０００２】
【従来の技術】
従来、例えばビデオテープレコーダやカメラ一体型ビデオテープレコーダとビデオテープレコーダを接続して記録された信号の編集作業が行われたり、あるいは、ビデオテープレコーダやカメラ一体型ビデオテープレコーダとビデオプリンタを接続してビデオテープに記録されたビデオ信号の画像をプリント画として出力させることが行われている。
【０００３】
【発明が解決しようとする課題】
ところで、編集作業では所望する信号を選択して記録するために、モニタテレビ等の表示画面を参照しながら再生側ビデオテープレコーダ等を操作して、所望する信号が記録されたテープ位置を検索したのち信号の記録が開始される。あるいはモニタテレビ等の表示画面で再生側ビデオテープレコーダから出力される再生画像を監視して、所望する信号が出力されたときから記録を開始するものとされる。このため、ビデオテープレコーダの操作が非常に煩雑であると共に編集作業に時間を要していた。
【０００４】
また、ビデオプリンタでプリント画を出力させる場合は、モニタテレビ等の表示画面で再生側ビデオテープレコーダ等から出力される再生信号を監視して、所望する信号をビデオプリンタに取り込みプリント画を得るものとしていた。このため、編集作業の場合と同様に操作が煩雑であると共に所望するプリント画を得るのに時間を要していた。
【０００５】
そこで、この発明では、容易な操作で効率よく画像に関する処理作業を行うことができる電子機器装置を提供する。
【０００６】
【課題を解決するための手段】
請求項１の発明に係る電子機器装置は、記録媒体から信号を読み出して処理すると共に処理した信号を外部に出力する再生信号処理手段と、再生信号処理手段で記録媒体から読み出した信号からインデックス情報を検出するインデックス情報検出手段と、インデックス情報検出手段の検出信号に基づいて制御命令を外部に出力する制御命令出力手段とを有する第１の電子機器と、
外部から供給される信号を処理する入力信号処理手段と、外部から供給される制御命令に応じて入力信号処理手段の処理動作を制御する動作制御手段とを有する第２の電子機器とを接続して使用する電子機器装置であって、
第１の電子機器のインデックス情報検出手段で画像のインデックス情報が検出されて命令出力手段から第２の電子機器の動作制御手段に制御命令が供給されたときには、この動作制御手段によって第１の電子機器の再生信号処理手段から出力される信号を第２の電子機器の入力信号処理手段でインデックス情報が検出される毎に検出された時点から所定時間の間、録画されるように処理するものである。
【０００７】
請求項２の発明に係る電子機器装置は、第１の電子機器を再生用ビデオテープレコーダとして、第２の電子機器を録画用ビデオテープレコーダとするものである。
【０００８】
請求項３の発明に係る電子機器装置は、第１の電子機器を再生用ビデオテープレコーダとして、第２の電子機器をビデオプリンタとするものである。
【０００９】
【作用】
請求項１記載の発明においては、第１の電子機器の変化情報検出手段で画像の変化情報が検出されると命令出力手段から第２の電子機器の動作制御手段に制御命令が供給されて、第２の動作制御手段によって第１の電子機器の再生信号処理手段から出力される信号が第２の電子機器の入力信号処理手段で自動的に処理される。このため、第１の電子機器と第２の電子機器を個々に関連付けて操作することなく自動的に操作されるので、操作を非常に簡便とすることが可能となる。
【００１０】
請求項２記載の発明においては、第１の電子機器が再生用ビデオテープレコーダであり、第２の電子機器が録画用ビデオテープレコーダであるので、再生用ビデオテープレコーダで画像の変化情報が記録されたビデオテープを再生するだけで、画像の変化情報が検出されると自動的に録画用ビデオテープレコーダでの録画が開始される。このため、自動的に編集作業を行なうことができるので、編集操作を非常に簡単とすることが可能となると共に短時間で編集作業を終了することが可能となる。また、この編集作業で簡単にダイジェスト版のビデオテープを作成することができるので、元のビデオテープの内容を容易に把握することが可能となる。
【００１１】
請求項３記載の発明においては、第１の電子機器が再生用ビデオテープレコーダであり、第２の電子機器がビデオプリンタであるので、再生用ビデオテープレコーダで画像の変化情報が記録されたビデオテープを再生するだけで、画像の変化情報が検出されると自動的にビデオプリンタのプリント画が出力される。あるいは、画像の変化情報が検出された時の画像が１枚のプリント画に複数表示されて自動的に出力される。このため、例えばビデオテープに記録された画像の目次を容易に作成することが可能となる。さらに、プリント画で作成した画像の目次を参照することで必要なビデオテープを容易に検索することが可能となる。
【００１２】
【実施例】
以下、図１を参照しながらこの発明に係る電子機器装置の第１の実施例ついて説明する。なお、第１の実施例は２台のビデオテープレコーダを接続して編集作業を行うものである。
【００１３】
図１において、１は再生側ビデオテープレコーダ（以下「再生側ＶＴＲ」という）であり、１０は記録側ビデオテープレコーダ（以下「記録側ＶＴＲ」という）である。
【００１４】
再生側ＶＴＲ１の再生信号処理部２には、図示しない再生ヘッドで読み出されたビデオテープの再生信号が供給される。この再生信号は、再生信号処理部２でオーディオ信号やビデオ信号に変換処理されてオーディオ・ビデオ信号出力部３に供給される。また、再生信号処理部２のインデックス検出回路２ａでは、ビデオテープに記録された画像の変化情報の例えばインデックスコードが検出される。なお、インデックスコードは、コントロール信号を利用して形成されたりあるいはＰＣＭ音声トラックとビデオトラックの間に挿入されるものであり場面の変化等に応じてビデオテープに記録される。このインデックス検出回路２ａでインデックスコードが検出されると、インデックス検出信号ＳＩＤが再生側メインマイクロコンピュータ（以下「再生側メインマイコン」という）５に供給される。
【００１５】
この再生側メインマイコン５には、ＬＡＮＣ（複数のビデオ機器等を関係付けて制御するためのローカルバス）で通信を行うための信号の入出力をおこなうＬＡＮＣ入出力部６が接続される。
【００１６】
記録側ＶＴＲ１０のオーディオ・ビデオ信号入力部１１には、再生側ＶＴＲ１のオーディオ・ビデオ信号出力部３からオーディオ・ビデオ信号ＳＡＶが供給される。この供給されたオーディオ・ビデオ信号ＳＡＶは、後述する記録側メインマイクロコンピュータ（以下「記録側メインマイコン」という）１５からの制御信号に基づいて、記録信号処理部１２で記録用信号に変換されると共に、ＶＴＲメカ制御部１７で制御された図示しない記録ヘッドによってビデオテープに記録される。
【００１７】
記録側メインマイコン１５には、上述したように記録信号処理部１２や記録ヘッド等の動作を制御するＶＴＲメカ制御部１７が接続されて動作制御がおこなわれると共に、ＬＡＮＣ入出力部１６が接続される。
【００１８】
この記録側ＶＴＲ１０のＬＡＮＣ入出力部１６と上述した再生側ＶＴＲ１のＬＡＮＣ入出力部６とが接続されて、再生側メインマイコン５からのコマンド信号が記録側メインマイコン１５に供給されることにより、記録側ＶＴＲ１０の動作が再生側ＶＴＲ１によって制御される。また、コマンド信号に応じた動作が行われていることを示すステータス信号が記録側メインマイコン１５から再生側メインマイコン５に供給されるので、再生側ＶＴＲ１と記録側ＶＴＲ１０を関連付けて確実に動作させることができる。
【００１９】
第１の実施例は以上のように構成されており、次に動作について説明する。なお、信号が記録されたビデオテープには、例えば記録トラックの所定位置にデータコードやタイムコードあるいはインデックスコード等の画像の変化情報が記録されている。
【００２０】
この画像信号と画像の変化情報が記録されたビデオテープから、例えばダイジェスト版のビデオテープを作成しようと再生側ＶＴＲ１が操作されると、再生側ＶＴＲ１でビデオテープの再生が開始され、その後インデックス検出回路２ａでインデックスコードが検出されるとインデックス検出信号ＳＩＤが再生側メインマイコン５に供給される。
【００２１】
この再生側メインマイコン５からは、インデックス検出信号ＳＩＤの供給に応じて記録側ＶＴＲ１０の録画開始コマンドがＬＡＮＣ入出力部６，１６を介して記録側メインマイコン１５に供給される。記録側メインマイコン１５からは、供給された録画開始コマンドに基づき、録画動作を開始するための制御信号が記録信号処理部１２やＶＴＲメカ制御部１７に供給されて、再生側ＶＴＲ１から供給されるオーディオ・ビデオ信号ＳＡＶが記録側ＶＴＲ１０のビデオテープに記録される。
【００２２】
その後、所定時間経過後に再生側メインマイコン５から記録側メインマイコン１５に録画停止コマンドが供給されて記録側ＶＴＲ１０の録画動作が停止される。
【００２３】
このように、第１の実施例によれば、再生側ＶＴＲ１でインデックスコードが記録されたビデオテープを再生するだけで、インデックスコードが検出される毎に検出された時点から所定時間の間、再生側ＶＴＲ１から記録側ＶＴＲ１０に供給される再生信号が自動的に録画される。このため、再生側ＶＴＲ１と記録側ＶＴＲ１０を関連付けて操作することなく自動的に編集作業を行なうことができるので、編集操作を非常に簡単とすることができると共に短時間で編集作業を終了することができる。また、このように簡単にダイジェスト版のビデオテープを作成することができるので、元のビデオテープの内容を容易に把握することができる。
【００２４】
次に、図２を参照しながらこの発明に係る電子機器装置の第２の実施例ついて説明する。この第２の実施例は、ビデオテープレコーダとビデオプリンタを接続してプリント画を得るものである。なお、図２において図１と対応する部分については同一符号を付し、その説明は省略する。
【００２５】
図２において、再生側ＶＴＲ１の再生信号処理部２からのビデオ信号は、ビデオ信号出力部３ａを介して出力される。
【００２６】
２０はビデオプリンタである。ビデオプリンタ２０のビデオ信号入力部２１には、再生側ＶＴＲ１のビデオ信号出力部３ａからビデオ信号ＳＶが供給される。この供給されたビデオ信号ＳＶは、後述するプリンタメインマイクロコンピュータ（以下「プリンタメインマイコン」という）２５からの制御信号に基づいて、メモリ処理部２２に記憶される。なお、メモリ処理部２２は、Ａ／Ｄ変換器やメモリ部およびメモリ部制御マイコン等から構成されており、ビデオ信号ＳＶはメモリ処理部２２でビデオデータに変換されて記憶される。このメモリ部２２に記憶されたビデオデータは、プリンタメインマイコン２５からの制御信号に基づいて、印画用ヘッド制御部２３に供給される。
【００２７】
印画用ヘッド制御部２３では、供給されたビデオデータに基づいて印画ヘッドが制御されてプリント画が形成される。また、プリンタ用紙の紙送り等の制御はプリンタメカ制御部２７によって行われる。なお、印画用ヘッド制御部２３およびプリンタメカ制御部２７の動作もメモリ処理部２２と同様にプリンタメインマイコン２５によって制御される。
【００２８】
このプリンタメインマイコン２５には、メモリ処理部２２や印画用ヘッド制御部２３およびプリンタメカ制御部２７と共にＬＡＮＣ入出力部２６が接続される。
【００２９】
ビデオプリンタ２０のＬＡＮＣ入出力部２６には、再生側ＶＴＲ１のＬＡＮＣ入出力部６が接続されて、再生側メインマイコン５からのコマンド信号がプリンタメインマイコン２５に供給されることにより、ビデオプリンタ２０の動作が再生側ＶＴＲ１によって制御される。また、コマンド信号に応じた動作が行われていることを示すステータス信号がプリンタメインマイコン２５から再生側メインマイコン５に供給されるので、再生側ＶＴＲ１とビデオプリンタ２０を関連付けて確実に動作させることができる。
【００３０】
第２の実施例は以上のように構成されており、次に動作について説明する。画像信号と画像の変化情報が記録されたビデオテープから、例えば記録された画像の目次を作成するためにビデオプリンタからプリント画を得ようとして再生側ＶＴＲ１が操作されると、再生側ＶＴＲ１でビデオテープの再生が開始され、その後インデックス検出回路２ａでインデックスコードが検出されるとインデックス検出信号ＳＩＤが再生側メインマイコン５に供給される。
【００３１】
この再生側メインマイコン５からは、インデックス検出信号ＳＩＤの供給に応じてビデオプリンタ２０のプリンタ制御コマンドがＬＡＮＣ入出力部６，２６を介してプリンタメインマイコン２５に供給される。
【００３２】
なお、ビデオプリンタ２０で１画面分の画像を１枚のプリント画として出力させる場合には、メモリ・プリントコマンドが再生側メインマイコン５からプリンタメインマイコン２５に供給される。また、ビデオプリンタ２０で複数画面の画像を１枚のプリント画として出力させる場合には、メモリコマンドが再生側メインマイコン５からプリンタメインマイコン２５に供給される。
【００３３】
再生側メインマイコン５からプリンタメインマイコン２５に供給されたプリンタ制御コマンドがメモリ・プリントコマンドである場合には、プリンタメインマイコン２５からプリント画を出力するための制御信号がメモリ処理部２２や印画用ヘッド制御部２３およびプリンタメカ制御部２７に供給される。このため、インデックスコードが記録された時点の１画面分のビデオ信号ＳＶのビデオデータがメモリ処理部２２に記憶されると共に記憶されたビデオデータが印画用ヘッド制御部２３に供給されて、１枚のプリント画として出力される。なお、ビデオプリンタ２０がプリント画を出力中である場合は、ポーズコマンドがプリンタメインマイコン２５から再生側メインマイコン５に供給されて、再生側ＶＴＲ１の再生動作が一時停止される。その後ビデオプリンタ２０のプリント画出力が終了した場合には、再度ポーズコマンドがプリンタメインマイコン２５から再生側メインマイコン５に供給されて、再生側ＶＴＲ１の再生動作が開始される。
【００３４】
また、プリンタ制御コマンドがメモリコマンドである場合には、プリンタメインマイコン２５からビデオデータを記憶するための制御信号がメモリ処理部２２に供給される。このため、インデックスコードが記録された時点の１画面分のビデオ信号ＳＶのビデオデータが順次メモリ処理部２２に記憶される。その後、メモリ処理部２２に所定画面分のビデオデータが記憶されたときには、プリンタメインマイコン２５から制御信号がメモリ処理部２２や印画用ヘッド制御部２３およびプリンタメカ制御部２７に供給される。この制御信号によって、メモリ処理部２２に記憶された複数の画像のビデオデータが間引処理等によって１画面分のビデオデータとされて印画用ヘッド制御部２３に供給されて複数の画像が１枚のプリント画として出力される。なお、インデックスコードが記録された時点の１画面分のビデオ信号ＳＶのビデオデータを、間引処理等を実施してから順次メモリ処理部２２に記憶するものとして、メモリ処理部２２に記憶されたビデオデータを印画用ヘッド制御部２３に供給して複数の画像を１枚のプリント画として出力してもよいことは勿論である。
【００３５】
メモリ処理部２２に所定画面分のビデオデータが記憶されてビデオプリンタ２０がプリント画を出力中である場合は、上述したようにポーズコマンドがプリンタメインマイコン２５から再生側メインマイコン５に供給されて、再生側ＶＴＲ１の再生動作が一時停止される。その後ビデオプリンタ２０のプリント画出力が終了した場合には、再度ポーズコマンドがプリンタメインマイコン２５から再生側メインマイコン５に供給されて、再生側ＶＴＲ１の再生動作が開始される。
【００３６】
このように、第２の実施例によれば、再生側ＶＴＲ１でインデックスコードが記録されたビデオテープを再生するだけで、インデックスコードが検出される毎にビデオプリンタ２０からプリント画が自動的に出力される。あるいは、インデックスコードが検出された時の画像が１枚のプリント画に複数表示されて自動的に出力される。このため、再生側ＶＴＲ１とビデオプリンタ２０を関連付けて操作することなく自動的にプリント画を得ることができるので、ビデオテープに記録された画像の目次を容易に作成することができる。さらに、プリント画で作成した画像の目次を参照することで必要なビデオテープを容易に検索することができる。
【００３７】
なお、上述した第１およびの第２の実施例では、再生側ＶＴＲ１でインデックスコードを検出し、インデックス検出信号ＳＩＤが再生側メインマイコン５に供給された時に、再生側メインマイコン５からのコマンド信号に基づいて、記録側ＶＴＲ１０あるいはビデオプリンタ２０を制御するものとしたが、インデックス検出信号ＳＩＤをＬＡＮＣ入出力部６を介して記録側ＶＴＲ１０あるいはビデオプリンタ２０に供給し、記録側ＶＴＲ１０あるいはビデオプリンタ２０の内部で、上述した編集作業やプリント画の出力を自動的に行うものとしてもよい。また、動作を開始する信号はインデックスコードに限られるものでななく、例えば画像の変化情報として記録されているデータコードやタイムコード等を利用してデータの変化点を変化情報検出回路で検出するものとし、検出信号に基づいて上述した編集作業やプリント画の出力を行うようにしてもよい。さらに、再生側ＶＴＲ１に接続される電子機器は、ビデオテープレコーダやビデオプリンタに限られるものではなく他の画像記録装置であってもよいことは勿論である。
【００３８】
【発明の効果】
請求項１記載の発明によれば、第１の電子機器の変化情報検出手段で画像の変化情報が検出されると命令出力手段から第２の電子機器の動作制御手段に制御命令が供給されて、第２の動作制御手段によって第１の電子機器の再生信号処理手段から出力される信号が第２の電子機器の入力信号処理手段で自動的に処理される。このため、第１の電子機器と第２の電子機器を個々に関連付けて操作することなく自動的に操作されるので、操作を非常に簡便とすることができる。
【００３９】
請求項２記載の発明によれば、第１の電子機器が再生用ビデオテープレコーダであり、第２の電子機器が録画用ビデオテープレコーダであるので、再生用ビデオテープレコーダで画像の変化情報が記録されたビデオテープを再生するだけで、画像の変化情報が検出されると自動的に録画用ビデオテープレコーダでの録画が開始される。このため、自動的に編集作業を行なうことができるので、編集操作を非常に簡単とすることができると共に短時間で編集作業を終了することができる。また、この編集作業で簡単にダイジェスト版のビデオテープを作成することができるので、元のビデオテープの内容を容易に把握することができる。
【００４０】
請求項３記載の発明によれば、第１の電子機器が再生用ビデオテープレコーダであり、第２の電子機器がビデオプリンタであるので、再生用ビデオテープレコーダで画像の変化情報が記録されたビデオテープを再生するだけで、画像の変化情報が検出されると自動的にビデオプリンタのプリント画が出力される。あるいは、画像の変化情報が検出された時の画像が１枚のプリント画に複数表示されて自動的に出力される。このため、例えばビデオテープに記録された画像の目次を容易に作成することができる。さらに、プリント画で作成した画像の目次を参照することで必要なビデオテープを容易に検索することができる。
【図面の簡単な説明】
【図１】この発明に係る電子機器装置の第１の実施例の構成を示す図である。
【図２】この発明に係る電子機器装置の第２の実施例の構成を示す図である。
【符号の説明】
１  再生側ビデオテープレコーダ
２    再生信号処理部
２ａ  インデックス検出回路
３  オーディオ・ビデオ信号出力部
３ａ  ビデオ信号出力部
５  再生側メインマイコン
６，１６，２６  ＬＡＮＣ入出力部
１０  記録用ビデオテープレコーダ
１１  オーディオ・ビデオ信号入力部
１２  記録信号処理部
１５  記録側メインマイコン
１７  ＶＴＲメカ制御部
２０  ビデオプリンタ
２１  ビデオ信号入力部
２２  メモリ処理部
２３  印画用ヘッド制御部
２５  プリンタメインマイコン
２７  プリンタメカ制御部
【図１】
0003577746.tif 000002
【図２】
0003577746.tif 000003